【事件の表示】
　特願２００７−５０１４６５「基地局間同期システム、同期制御装置および基地局」拒絶査定不服審判事件〔平成１８年　８月１０日国際公開、ＷＯ２００６／０８２６２８〕について、次のとおり審決する。
【結　論】
　本件審判の請求は、成り立たない。
【理　由】
 第１　手続きの経緯・本願発明
　本願は、２００５年２月１日を国際出願日とする出願であり、平成２１年８月３日付けで拒絶査定がなされ、それに対して同年１０月２８日に拒絶査定不服の審判請求がなされるとともに手続補正書が提出されたものであって、その請求項１０に係る発明は、平成２１年１０月２８日付けの手続補正書により補正された明細書及び図面の記載からみて、特許請求の範囲の請求項１０に記載された次のとおりのものと認める。（以下、「本願発明」という。）
「他の基地局と同期する基地局であって、
　入力された制御電圧に応じた周波数で発振する原振クロック生成部と、
　外部から通知された外部のクロックの位相情報と前記原振クロック生成部が発信する原振クロックの位相情報との比較により前記外部のクロックと前記原振クロックとの周波数偏差を検出する位相比較部と、
　前記周波数偏差に応じて前記原振クロック生成部に入力される前記制御電圧を補正する制御電圧補正部と、を備えたことを特徴とする基地局。」
　
第２　引用例
（１）原査定の拒絶の理由に引用された国際公開第０１／９３４９２号（以下、「引用例」という。）には、図面とともに次の記載がある。
（ア）「技術分野
　この発明は、複数の無線基地局の位相ずれを解消するクロック供給装置に関するものである。
背景技術
　第１図は従来の移動体通信システムを示す構成図であり、図において、１は移動マルチメディア交換システム、２は無線基地局制御装置、３はクロック供給装置が内蔵されている無線基地局である。
　次に動作について説明する。
無線基地局制御装置２は数十台程度の無線基地局３を従えており、システムの稼働時においては、複数の無線基地局３のシステムフレームナンバーの位相を相互に合わせる必要がある。
　そこで、システムを起動する際、無線基地局制御装置２が複数の無線基地局３に対して同時にシステムフレームナンバーＲＳＦＮを出力することにより初期化する。これにより、システムの起動当初は複数の無線基地局３のシステムフレームナンバーの位相が一致する。
　各無線基地局３は無線基地局制御装置２の基準クロックに同期して動作するものの、その基準クロックのジッター・ワンダー・回線障害等により、システムフレームナンバーは時間の経過に伴って位相のずれが生じてくる。
　従来は、無線基地局制御装置２が複数の無線基地局３の位相ずれを監視し、複数の無線基地局３の位相ずれを検出すると、全無線基地局３に対して同時にシステムフレームナンバーＲＳＦＮを出力することにより、強制的に位相調整を実施して瞬時に位相ずれを解消する。
　従来の移動体通信システムは以上のように構成されているので、無線基地局制御装置２が複数の無線基地局３の位相ずれを検出すると、全無線基地局３にシステムフレームナンバーＲＳＦＮを出力することにより位相ずれを解消するが、全無線基地局３にシステムフレームナンバーＲＳＦＮを出力することにより、強制的に位相調整を実施して瞬時に位相ずれを解消するものであるため、位相が調整された無線基地局３は無線通信の継続が困難になり、無線通信の瞬断を招く課題があった。
　この発明は上記のような課題を解決するためになされたもので、無線通信の瞬断を招くことなく、複数の無線基地局３の位相ずれを解消することができるクロック供給装置を得ることを目的とする。
　　
発明の開示
　この発明に係るクロック供給装置は、外部から基準システムフレームナンバーを受けて基準システムフレームナンバーとシステムフレームナンバーとの位相差を検出し、その位相差が所定範囲外の場合に源クロックを変更してクロック生成手段に出力し位相差を補償するようにしたものである。
　このことによって、無線通信の瞬断を招くことなく、複数の無線基地局３の位相ずれを解消することができる効果がある。
　この発明に係るクロック供給装置は、クロック生成手段から出力されたシステムフレームナンバーが基準システムフレームナンバーより先行している場合、クロック生成手段の印加電圧を下げるようにしたものである。
　このことによって、複数の無線基地局の位相を合わせることができる効果がある。
　この発明に係るクロック供給装置は、基準システムフレームナンバーがクロック生成手段から出力されたシステムフレームナンバーより先行している場合、クロック生成手段の印加電圧を上げるようにしたものである。
　このことによって、複数の無線基地局の位相を合わせることができる効果がある。」（第１頁第５行〜第３頁第７行）
　　　
（イ）「実施の形態１．
　第２図はこの発明の実施の形態１によるクロック供給装置を示す構成図であり、図において、１１は基準クロックを生成して出力するとともに、現在のシステムフレームナンバーＳＦＮを出力する基準クロック生成部（クロック生成手段）、１２は無線基地局制御装置３から現在のシステムフレームナンバーＲＳＦＮを受けると、そのシステムフレームナンバーＲＳＦＮと基準クロック生成部１１から出力されたシステムフレームナンバーＳＦＮを比較して、システムフレームナンバーの位相差を検出する位相比較回路、１３は位相比較回路１２により検出された位相差を格納するレジスタ、１４はレジスタ１３により格納された位相差に対応するカウンタ値が設定され、そのカウンタ値が零値になるまでカウンタ値をデクリメントするカウンタである。なお、位相比較回路１２，レジスタ１３及びカウンタ１４から位相差検出手段が構成されている。
　１５は電圧ＶＣＣを発生する電圧発生器、１６は電圧ＶＣＣ＋ＶＣＣを発生する電圧発生器、１６は電圧ＶＣＣ＋△ＶＣＣを発生する電圧発生器、１７は電圧ＶＣＣ−△ＶＣＣを発生する電圧発生器、１８は電圧発生器１５〜１７の中から１つの電圧発生器を選択し、その電圧発生器から発生される電圧を電圧制御発振器１９に出力する制御回路、１９は制御回路１８から出力された電圧に応じた発振周波数の源クロックを基準クロック生成部１１に出力する電圧制御発振器である。なお、電圧発生器１５〜１７，制御回路１８及び電圧制御発振器１９から補償手段が構成されている。」（第４頁第１行〜第２０行）
　　
（ウ）「まず、基準クロック生成部１１は、電圧制御発振器１９から出力される源クロックに応じて基準クロックを生成し、現在のシステムフレームナンバーＳＦＮを出力する。
　即ち、電圧制御発振器１９は、通常時の電圧ＶＣＣより大きな電圧が印加されると、基準クロックの周波数を通常時の周波数（７．６８ＭＨｚ）より高くして位相を進める。一方、通常時の電圧ＶＣＣより小さな電圧が印加されると、基準クロックの周波数を通常時の周波数（７．６８ＭＨｚ）より低くして位相を遅らせる。
　位相比較回路１２は、無線基地局制御装置３から現在のシステムフレームナンバーＲＳＦＮを受けると、そのシステムフレームナンバーＲＳＦＮと基準クロック生成部１１から出力されたシステムフレームナンバーＳＦＮを比較して、システムフレームナンバーの位相差を検出し、その位相差をレジスタ１３に格納する。
　なお、システムフレームナンバーＲＳＦＮ，ＳＦＮは、１２５μｓの分解能を有しており、位相差が１２５μｓ以上であれば、位相ずれが検出される。
　カウンタ１４は、レジスタ１３により格納された位相差が規定値より大きくなると、その位相差に対応するカウンタ値が設定され、以後、基準クロックに同期して、そのカウンタ値が零値になるまでカウンタ値をデクリメントする。ここで、カウンタ１４は、例えば、位相差が１０ｍｓでカウンタ値が“１”になるカウンタと、位相差が１２５μｓでカウンタ値が“１”になるカウンタとから構成される。この場合、位相差が１２５μｓ未満であれば、位相の調整処理が行われない。
　制御回路１８は、電圧発生器１５〜１７の中から１つの電圧発生器を選択し、その電圧発生器から発生される電圧を電圧制御発振器１９に出力する。
　即ち、カウンタ１４のカウンタ値が零値の場合には（位相ずれがない状態）、電圧発生器１５を選択し、その電圧発生器１５から発生される電圧ＶＣＣを電圧制御発振器１９に出力する。
　基準クロック生成部１１から出力されたシステムフレームナンバーＳＦＮが無線基地局制御装置３から出力されたシステムフレームナンバーＲＳＦＮより先行している場合（基準クロック生成部１１の位相が進んでいる場合）、電圧発生器１７を選択して、その電圧発生器１７から発生される電圧ＶＣＣ−△ＶＣＣを電圧制御発振器１９に出力する。
　無線基地局制御装置３から出力されたシステムフレームナンバーＲＳＦＮが基準クロック生成部１１から出力されたシステムフレームナンバーＳＦＮより先行している場合（基準クロック生成部１１の位相が遅れている場合）、電圧発生器１６を選択して、その電圧発生器１６から発生される電圧ＶＣＣ＋△ＶＣＣを電圧制御発振器１９に出力する。
　そして、電圧制御発振器１９は、制御回路１８から出力された電圧に応じた源クロックを基準クロック生成部１１に出力する。
　以上で明らかなように、この実施の形態１によれば、無線基地局制御装置３から現在のシステムフレームナンバーＲＳＦＮを受けると、そのシステムフレームナンバーＲＳＦＮと基準クロック生成部１１から出力されたシステムフレームナンバーＳＦＮを比較して、システムフレームナンバーの位相差を検出し、その位相差が規定値を超えると、所定の期間中、電圧制御発振器１９の印加電圧を変更することにより、無線基地局側でその位相差を徐々に補償するように構成したので、無線通信の瞬断を招くことなく、複数の無線基地局の位相ずれを解消することができる効果を奏する。」（第４頁第２２行〜第６頁第２０行）
　　　　
　以上の記載によれば、この引用例には以下のような発明（以下、「引用発明」という。）が開示されていると認められる。
「基準クロック生成部１１は、電圧制御発振器１９から出力される源クロックに応じて基準クロックを生成し、現在のシステムフレームナンバーＳＦＮを出力し、
　位相比較回路１２は、無線基地局制御装置３から出力された現在の基準システムフレームナンバーＲＳＦＮを受け、該基準システムフレームナンバーＲＳＦＮと前記システムフレームナンバーＳＦＮとの位相差を検出（システムフレームナンバーＲＳＦＮ，ＳＦＮは、１２５μｓの分解能を有しており、位相差が１２５μｓ以上であれば、位相ずれが検出される。）し、その位相差をレジスタ１３に格納し、
　カウンタ１４は、レジスタ１３により格納された位相差が規定値より大きくなると、その位相差に対応するカウンタ値が設定され、以後、基準クロックに同期して、そのカウンタ値が零値になるまでカウンタ値をデクリメントし、
　前記カウンタ値が零で位相ずれがない状態では、電圧発生器１５を選択し、その電圧発生器１５から発生される電圧ＶＣＣを電圧制御発振器１９に出力し、
　基準クロック生成部１１から出力されたシステムフレームナンバーＳＦＮが無線基地局制御装置３から出力されたシステムフレームナンバーＲＳＦＮより先行しているとき（基準クロック生成部１１の位相が進んでいる場合）、電圧発生器１７を選択して、その電圧発生器１７から発生される電圧ＶＣＣ−△ＶＣＣを電圧制御発振器１９に出力し、
　無線基地局制御装置３から出力されたシステムフレームナンバーＲＳＦＮが基準クロック生成部１１から出力されたシステムフレームナンバーＳＦＮより先行しているとき（基準クロック生成部１１の位相が遅れている場合）、電圧発生器１６を選択して、その電圧発生器１６から発生される電圧ＶＣＣ＋△ＶＣＣを電圧制御発振器１９に出力するように構成され、
　無線基地局制御装置３から現在のシステムフレームナンバーＲＳＦＮと基準クロック生成部１１から出力されたシステムフレームナンバーＳＦＮの位相差が規定値を超えると、位相差に応じた所定期間中、位相の進み、遅れに応じて電圧制御発振器１９の印加電圧を変更することにより、無線基地局側でその位相差を徐々に補償するようにして、無線通信の瞬断を招くことなく、複数の無線基地局の位相ずれを解消することができるクロック供給装置が内蔵されている無線基地局。」
　　
第３　対　比
　本願発明と引用発明とを対比する。
　引用発明の「源クロック」は、本願発明の「原振クロック」に相当し、引用発明の「電圧制御発振器１９」は、入力された制御電圧に応じた周波数で発振し、源クロックを出力することは明らかであるから、本願発明の「原振クロック生成部」に相当する。
　引用発明の「システムフレームナンバーＳＦＮ」は、電圧制御発振器１９から出力される源クロックに応じて基準クロック生成部１１が、基準クロックとともに出力しており、システムフレームナンバーＳＦＮは、１２５μｓの分解能を有しており、位相差が１２５μｓ以上であれば、位相ずれが検出されるから、本願発明の「前記原振クロック生成部が発信する原振クロックの位相情報」に相当するといえる。
　引用発明は、無線基地局制御装置３から出力された現在の基準システムフレームナンバーＲＳＦＮを受け、該基準システムフレームナンバーＲＳＦＮと前記システムフレームナンバーＳＦＮとの位相差を検出（システムフレームナンバーＲＳＦＮ，ＳＦＮは、１２５μｓの分解能を有しており、位相差が１２５μｓ以上であれば、位相ずれが検出される。）するから、引用発明の「無線基地局制御装置３から出力された現在の基準システムフレームナンバーＲＳＦＮ」は、本願発明の「外部から通知された外部のクロックの位相情報」に相当するといえる。
　引用発明の「位相比較回路」は、無線基地局制御装置３から出力された現在の基準システムフレームナンバーＲＳＦＮを受け、該基準システムフレームナンバーＲＳＦＮと前記システムフレームナンバーＳＦＮとの位相差を検出（システムフレームナンバーＲＳＦＮ，ＳＦＮは、１２５μｓの分解能を有しており、位相差が１２５μｓ以上であれば、位相ずれが検出される。）するから、本願発明の「外部から通知された外部のクロックの位相情報と前記原振クロック生成部が発信する原振クロックの位相情報との比較により前記外部のクロックと前記原振クロックとの周波数偏差を検出する位相比較部」と「外部から通知された外部のクロックの位相情報と前記原振クロック生成部が発信する原振クロックの位相情報との比較により前記外部のクロックと前記原振クロックとの差を検出する位相比較部」の点で共通する。
　引用発明は、電圧制御発振器１９に印加する電圧ＶＣＣを、位相差に応じた所定期間中、位相の進み、遅れに応じて、ＶＣＣ−△ＶＣＣ、ＶＣＣ＋△ＶＣＣに変更しているから、本願発明の「前記周波数偏差に応じて前記原振クロック生成部に入力される前記制御電圧を補正する制御電圧補正部」を備えたと「前記差に関連して前記原振クロック生成部に入力される前記制御電圧を補正する制御電圧補正部」を備えた点で共通する。
　引用発明は、複数の無線基地局の位相ずれを解消することができるものであり、引用発明のクロック供給装置が内蔵されている「無線基地局」は、本願発明の「他の基地局と同期する基地局」に相当する。
　
　したがって、本願発明の用語を用いて表現すると両者は、
「他の基地局と同期する基地局であって、
　入力された制御電圧に応じた周波数で発振する原振クロック生成部と、
　外部から通知された外部のクロックの位相情報と前記原振クロック生成部が発信する原振クロックの位相情報との比較により前記外部のクロックと前記原振クロックとの差を検出する位相比較部と、
　前記差に関連して前記原振クロック生成部に入力される前記制御電圧を補正する制御電圧補正部と、を備えたことを特徴とする基地局。」
で一致するものであり、次の点で相違している。
　　
　本願発明では、外部から通知された外部のクロックの位相情報と前記原振クロック生成部が発信する原振クロックの位相情報との比較により前記外部のクロックと前記原振クロックとの周波数偏差を検出し、周波数偏差に応じて原振クロック生成部に入力される制御電圧を補正するのに対し、引用発明は、位相差を検出するものであって、検出した位相差に応じた所定期間中、位相の進み、遅れに応じて原振クロック生成部に入力される制御電圧を変更する点。
　　
第４　当審の判断
　上記相違点について検討する。
　本願発明の「外部から通知された外部のクロックの位相情報と前記原振クロック生成部が発信する原振クロックの位相情報との比較により前記外部のクロックと前記原振クロックとの周波数偏差を検出する」は、外部クロックの位相情報と原振クロックの位相情報との比較により検出される「周波数偏差」の意味が、必ずしも明確ではない。
　そこで、本願明細書の発明の詳細な説明の記載を参照すると、「基地局集線装置１２は、ＶＣＯ（電圧制御発振器）２０および制御情報生成部２１を備えている。ＶＣＯ２０は基地局集線装置１２に内蔵され、原振クロックを生成する。制御情報生成部２１は、基地局１３で生成された原振クロックの位相情報（原振クロックを元にしたカウンタ値）に応じて同期制御情報を生成する。ここでは、基地局集線装置１２で生成された原振クロックの位相情報（原振クロックを元にしたカウンタ値）と比較し、この比較結果に応じた同期制御情報として周波数偏差（カウンタ値の差分）を算出し、この周波数偏差に応じた制御電圧を同期制御情報として生成する。なお、基地局集線装置１２内の発振器は、電圧制御が不要な場合は、ＶＣＯ２０ではなくてＯＣＸＯ（恒温槽型水晶発振器）などで構わない。」（段落【００１８】）と記載されており、本願発明の「周波数偏差」は、外部から通知された外部のクロックを元にしたカウンタ値と原振クロックを元にしたカウンタ値の差分を含むものである。
　そうすると、本願発明の「周波数偏差」と引用発明の「位相差」は、実質的な相違はない。
　そして、外部クロックと装置内部のクロックの同期回路において、ＰＬＬ回路の位相比較器が出力する位相差信号に応じた制御電圧を電圧制御発振器に入力することは、本出願の国際出願日前周知の技術である（例えば、特開平９−２６１０１９号公報段落【０００３】の記載、特開２００３−２８４１２７号公報段落【００３３】、【００３４】の記載参照。）。
　したがって、引用発明において、外部から通知された外部のクロックの位相情報と前記原振クロック生成部が発信する原振クロックの位相情報との比較により前記外部のクロックと前記原振クロックとの周波数偏差を検出し、周波数偏差に応じて原振クロック生成部に入力される制御電圧を補正するようにすることは、当業者が容易になし得ることある。
　　　　
　また、本願発明の作用効果も、引用発明及び周知技術から、当業者であれば予想できる範囲内のものである。
　
　　　
第５　むすび
　以上のとおり、本願発明は、引用発明及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。